(57)【特許請求の範囲】
【請求項１】
上面中央に開設した取り出し口(9)を囲んで短円筒片状の短周壁を立設した取り出し部(10)を頂壁(5)に設け、下端部の外周に係止段部(7)を設けた周壁(6)を前記頂壁(5)の周囲から垂下設し、前記取り出し部(10)に密に外嵌して閉塞する短円筒片状の短周壁である係止部(11)を下面に設けた蓋体(3)を開閉回動自在に結合した一対の容器本体(２)と、平板(12)の両面に、外周端部を鍔部(13)として残存形成し、前記係止段部(7)と係止する段部(14a)を有する短筒状の係止突部(14)を突周設した底板体(4)とからなり、前記底板体(4)の係止突部(14)の段部(14a)に前記係止段部(7)を係止させて、前記底板体(4)の両係止突部(14)のそれぞれに、前記容器本体(2)の周壁(6)の下端部を密に嵌入組み付けしたシート状物収納容器。
【請求項２】
容器本体(2)を、硬質合成樹脂製とし、底板体(4)を、軟質合成樹脂製とした請求項１記載のシート状物収納容器。
【請求項３】
係止段部(7)の上部位の周壁(6)外周に、係止突部(14)よりも端部が突出する突起部(8)を周設した請求項１又は２記載のシート状物収納容器。
【請求項４】
係止突部(14)の頂部を突起部(8)に当接させた請求項３記載のシート状物収納容器。
【請求項５】
係止突部(14)の内側となる平板(12)の部分に、周壁(6)の下端部を嵌入する嵌入用間隙(15)を残して、一方面の係止突部(14)と対面するように起立連設した起立壁(16)と、該起立壁(16)の上端から反転屈曲し、他方面の係止突部(14)と対面するように連設した内周壁(17)とからなる屈曲部を設け、該内周壁(17)の周面に間隔をあけて、前記他方面の係止突部(14)と外端面との間に、前記嵌入用間隙(15)を形成する複数の支持片(18)を並列設した請求項１，２，３又は４記載のシート状物収納容器。
【請求項６】
収納するシート状物(19)を、ウエットペーパーとした請求項１、２、３、４又は５記載のシート状物収納容器。
【発明の詳細な説明】
【０００１】
【発明の属する技術分野】
本発明は、ウエットペーパー等の重ねられたシート状物を収納する二つの収納部を備えた収納容器に関する。
【０００２】
【従来の技術】
従来、ウェットペーパー等のシート状物は袋状容器等に収納され、この袋状容器に形成された開口部からシート状物を取り出して使用しているが、通常、シート状物を収納する袋状容器（例えば、パウチ）は、柔軟で定形性を有さず、シート状物を取り出し難いため、例えば特開平１１−２２７８５３号公報に記載されているように、シート状物であるウェットペーパーを袋状容器ごと、プラスチック等で成形され自己形状保持可能な箱状の収納容器に収納して使用している。
【０００３】
自己形状保持可能な箱状の収納容器にシート状物を袋状容器ごと収納すると、シート状物の乾燥を防止するのが容易となると共に、シート状物が取り出し易くなり、また、シート状物の使用終了後、新たにシート状物を取り替えることが可能であるため、繰り返し収納容器を使用して省資源化を図ることができ、さらに自己形状保持可能な収納容器に、定形性を有さない袋状容器を収納することで、外観上の美観も向上する。
【０００４】
近年においては、生活の利便性を追求し、通常の精製水やエタノール等を染み込ませた手拭用等のウェットペーパーの他に、メイク落とし液や、化粧液、保湿剤、除光液等を染み込ませた多種類のウェットペーパーであるシート状物が販売されており、化粧手順に従って数種類のシート状物を使用したい場合も多い。
【０００５】
【発明が解決しようとする課題】
しかしながら、従来用いられているシート状物を収納する容器は、一つの収納部分しかなく、使用順序に従って、メイク落とし液を染み込ませたシート状物を使用した後、化粧液や保湿剤を染み込ませたシート状物を使用したい場合には、別々の容器に収納されたシート状物を使用する必要があり、使い勝手が悪いという問題があった。
【０００６】
そのほか、二種類のシート状物を別々の容器に収納すると、収納容器を置く面積が拡大して、化粧台等の狭い場所がますます狭くなるという問題があると共に、別々の容器にシート状物が収納されていると、持ち運びにも不便であるといった問題もあった。
【０００７】
そこで本発明は、上記した従来技術における問題点を解消すべく創案されたもので、ウェットペーパー等のシート状物を収納する収納容器において、二種類のシート状物を分別して収納し、収納するシート状物の補充・詰め替えを可能とすることを技術的課題とし、もってシート状物収納容器の利便性を向上することを目的とする。
【０００８】
【課題を解決するための手段】
上記技術的課題を解決する本発明の内、請求項１に記載した発明の手段は、上面中央に開設した取り出し口を囲んで短円筒片状の短周壁を立設した取り出し部を頂壁に設け、下端部の外周に係止段部を設けた周壁を頂壁の周囲から垂下設し、取り出し部に密に外嵌して閉塞する短円筒片状の短周壁である係止部を下面に設けた蓋体を開閉回動自在に結合した一対の容器本体と、平板の両面に、外周端部を鍔部として残存形成し、容器本体の周壁に設けた係止段部と係止する段部を有する短筒状の係止突部を突周設した底板体とから成ること、底板体の係止突部の段部に容器本体の周壁の係止段部を係止させて、底板体の両係止突部のそれぞれに、容器本体の周壁の下端部を密に嵌入組み付けしたこと、にある。
【０００９】
この請求項１記載の発明にあっては、底板体の両係止突部のそれぞれに、容器本体の周壁の開放された下端部を、周壁の係止段部を係止突部の段部に係止させて密に嵌入組み付けすることにより、底板体の両面に容器本体を密に組み付け固定し、互いに逆立姿勢となった二つの収納部を一体的に隣接形成する。
【００１０】
この両収納部は、両容器本体が底板体に密に嵌入組み付きしていること、および両容器本体の取り出し部に対する蓋体の係止部が密嵌合し、容器本体の取り出し口が密閉されていることにより、密封された状態に保たれる。
【００１１】
一方のシート状物の取り出しに際しては、この一方のシート状物が収納されている側の容器本体を上側にした姿勢で、この上側の容器本体の蓋体を開放して、取り出し口からシート状物を取り出し、取り出しが終わったならば、蓋体を閉じる。他方のシート状物を取り出す際には、容器全体を反転させて、上記と同様の操作を行う。
【００１２】
容器に対するシート状物の補充および入れ替えは、開放したい側の一方の容器本体を強固に保持した状態で、底板体の鍔部の一部を一方の容器本体から離れる方向に引くことにより、係止段部と段部との係止を強引に解除して、この一方の容器本体を底板体から分離させて底部を開放状態とする。
【００１３】
請求項２記載の発明は、請求項１記載の発明の構成に、容器本体を、硬質合成樹脂製とし、底板体を、軟質合成樹脂製としたこと、を加えたものである。
【００１４】
この請求項２記載の発明にあっては、容器本体と底板体との密な組み付きを、より強固かつ安定的に達成し、収納部の安定した自己形状保持を発揮し、容器本体と底板体との着脱処理を無理なく簡単に行うことができる。
【００１５】
請求項３記載の発明は、請求項１または２記載の発明の構成に、係止段部の上部位の周壁外周に、底板体の係止突部よりも端部が突出する突起部を周設したこと、を加えたものである。
【００１６】
この請求項３記載の発明にあっては、容器本体と底板体との分離に際して、容器本体および底板体に対する分離のための操作力の作用箇所を、近接して位置させることができ、これによりこの分離が簡単となる。
【００１７】
請求項４記載の発明は、請求項３記載の発明の構成に、底板体の係止突部の頂部を、容器本体の周壁の突起部に当接させたことを、を加えたものである。
【００１８】
この請求項４記載の発明にあっては、段部を容器本体の係止段部に係止させた係止突部は、その頂部が突起部に当接することにより、外方へ傾斜する撓み変位がし難くなり、係止段部と段部との係止が安定して保持される。
【００１９】
請求項５記載の発明は、請求項１，２，３又は４記載の発明の構成に、底板体の係止突部の内側となる平板の部分に、周壁の下端部を嵌入する嵌入用間隙を残して、一方面の係止突部と対面するように起立連設した起立壁と、該起立壁の上端から反転屈曲し、他方面の係止突部と対面するように連設した内周壁とからなる屈曲部を設け、該内周壁の周面に間隔をあけて、他方面の係止突部と外端面との間に、周壁の下端部を嵌入する嵌入用間隙を形成する複数の支持片を並列設したことを、加えたものである。
【００２０】
この請求項５記載の発明にあっては、容器本体の周壁の係止段部を設けた下端部を、底板体の係止突部と起立片または支持片で、狭持状に組み付き保持するので、周壁の下端部は、外方および内方に撓み変位不能となり、これにより係止段部と段部との係止組み付きが安定して、強固に保持される。
【００２１】
請求項６記載の発明は、請求項１、２、３、４又は５記載の発明の構成に、収納するシート状物をウエットペーパーとしたことを、を加えたものである。
【００２２】
この請求項６記載の発明にあっては、組合わせ使用頻度の高い二種類のウエットペーパーを、一体的に収納することができるので、ウエットペーパーの使用の利便性を飛躍的に高めることになる。
【００２３】
【発明の実施の形態】
以下、本発明の一実施例を、図面を参照にしながら説明する。
図１は、容器本体2の蓋体３を開放した状態を示す、シート状物収納容器１の斜視図であり、図２は、下からみたシート状物収納容器１の分解斜視図であり、そして図３は、収納容器１の一部拡大図を含む縦断面図である。
【００２４】
図１乃至図３に示すように、シート状物収納容器１は、蓋体３を設けた一対の容器本体２と、容器本体２の底部となる底板体４から構成されている。
【００２５】
容器本体２は、硬質合成樹脂であるポリプロピレン製若しくは高密度ポリエチレン製であり、底板体４は、軟質合成樹脂である低密度ポリエチレン製である。
【００２６】
容器本体２は、箱形状の頂面を構成する頂壁５と、この頂壁５から垂下設し、底部が開放した状態の箱形状を構成する周壁６とからなり、頂壁５の略中央にシート状物の取り出し口９と、この取り出し口９の周囲に短円筒片状の短周壁を立設した取り出し部１０とを設けている。
【００２７】
頂壁５には、蓋体３を嵌着する凹嵌部５ａを設け、この頂壁５の凹嵌部５ａの略中央に形成した十文字状の切り込みを取り出し口９としており、この取り出し口９は、シート状物の先端部を引掛け保持する構成となっている。
【００２８】
また、容器本体２の周壁６の外周の下端部に、上向きの係止段部７を周設し、この係止段部７の上部位の周壁６の外周に、突起部８を周設している。
【００２９】
蓋体３は、凹嵌部５ａに嵌合する形状に形成され、下面に、取り出し部１０に密に外嵌して取り出し口９を密閉する短円筒片状の短周壁である係止部１１を設け、後端部に軸孔を穿設した蝶番片３ａを設けている。
【００３０】
この蝶番片３ａに穿設した軸孔と、頂壁５の凹嵌部５ａの側面に穿設した軸孔とに、蝶番軸を挿通して、容器本体２の頂壁５に蓋体３を開閉回動自在に蝶番結合している。
【００３１】
なお、図示実施例においては、蝶番を用いて蓋体３を結合した容器本体２を示したが、蓋体３にヒンジ部を設け、蓋体３を開閉回動自在に結合した容器本体２を用いてもよい。
【００３２】
取り出し部１０を閉塞した蓋体３の前端部と、凹嵌部５ａの底面との間には、隙間が空くように構成されており、収納容器１の使用者は、この隙間の間に爪先や指等を差し入れ、蓋体３を閉扉する。
【００３３】
底板体４は、平板１２の両面に、外周端部を鍔部１３として残存形成し、周壁６の係止段部７と係合する段部１４ａを有する短筒状の係止突部１４を、やや内側に傾いた状態で突周設している。
【００３４】
また、底板体４は、係止突部１４の内側となる平板１２の部分に、周壁６の下端部を嵌入する嵌入用間隙１５を残して、一方面の係止突部１４と対面するように起立壁１６を起立連設し、この起立壁１６の上端から反転屈曲し、他方面の係止突部１４と対面するように内周壁１７を連設した屈曲部を設けている。
【００３５】
この内周壁１８の外周面には、間隔を開けて、外端面と係止突部１４との間に嵌入用間隙１５を形成する複数の支持片１８を並列設している。
【００３６】
この底板体１４の一方面の係止突部１４と起立壁１６との間に形成された嵌入用間隙１５に、一方の容器本体２の周壁６の下端部を嵌入し、他方面の係止突部１４と支持片１８の外端面との間に形成された嵌入用間隙１５に、他方の容器本体２の周壁６の下端部を嵌入し、両係止突部１４の段部１４ａに周壁６の係止段部７を係止させ、底板体４の両係止突部１４のそれぞれに、容器本体２の周壁６の下端部を嵌入組み付けする。
【００３７】
底板体４の係止突部１４内に、容器本体２の周壁６の下端部が嵌入されると、やや内側に傾いた状態の係止突部１４が、周壁６の下端部で押されて、係止突部１４内に周壁６の下端部が密に嵌入組み付けされた状態となる。
【００３８】
また、底板体４と容器本体２は、底板体４の係止突部１４の頂部が、容器本体２の突起部８に当接し、この突起部８の端部が係止突部１４よりも突出した状態で組み付けられている。
【００３９】
しかして、底板体４は、容器本体２の開放した状態の底部を閉塞し、かつ、底板体４の両面に容器本体２を密に組み付け固定し、互いに逆立姿勢となった状態で二つの容器本体２を結合する。
【００４０】
以上のように、一つのシート状物収納容器１に、二つの収納部が一体的に隣接形成され、二種類のシート状物を分別して収納することが可能となる。
【００４１】
このため、使用手順に従って、二種類のシート状物を使用することができ、使い勝手が良くなる。
【００４２】
例えば、先ず、メイク落とし用のシート状物であるウエットペーパーが収納されている側の容器本体２を上側にした姿勢で、この上側の容器本体２の蓋体３を開放して、取り出し口９からメイク落とし用のウェットペーパー１９を取り出した後、蓋体３を閉じる。
【００４３】
そして、メイクを落とした後、収納容器１の全体を反転させて、保湿剤を染み込ませたウェットペーパーが収納されている側の容器本体２を上側にした姿勢とし、保湿剤を染み込ませたウェットペーパー１９を取り出して使用することができ、便利である。
【００４４】
シート状物１９の収納保持、およびシート状物の取り出しに際しては、底板体４の係止突部１４の頂部が容器本体２の突起部８に当接しているため、係止突部１４が突起部８で支持され、係止突部１４が外方向へ撓み変位し難くなり、係止突部１４の段部１４ａと係止段部７との係止が安定に保持される。
【００４５】
また、底板体４の係止突部１４と起立壁１６及び係止突部１４と支持片１８とで、嵌入用間隙１５に嵌入された容器本体２の周壁６の下端部を狭持状に組み付き保持するので、周壁６の下端部の外方若しくは内方への撓み変位を防止し、撓み変位することによる容器本体２と底板体４との組み付きの劣化、およびシール性の劣化を防止している。
【００４６】
また、シート状物１９の補充および入れ替えに際しては、上位の容器本体２の突起部８に指先を引っ掛けた状態で、この突起部８の直下の鍔部１３を下方に引き下げることにより、この鍔部１３とこれに近接な係止突部１４とが係止突部１４の基端を支点として、外方向へ傾斜するように撓み変位し、係止段部７と段部１４ａとの係止を解除、若しくは弱化させるので、突起部８に引っ掛けていた指先をそのまま引き上げることにより、上位の容器本体２を底板体４から簡単に分離達成できる。
【００４７】
このため、開放状態となっている容器本体２内に、シート状物１９を補充、詰め替えすることができる。なお、容器本体２は、箱形状に形成されているため、袋状容器内に収納されたシート状物１９を袋状容器ごと取り替えることが可能である。
【００４８】
【発明の効果】
本発明は、上記した構成となっているので、以下に示す効果を奏する。
請求項１記載の発明にあっては、底板体の両面に突設した両係止突部のそれぞれに、容器本体を密に嵌入組み付けしているため、一つの収納容器に、二種類のシート状物を分別して収納することができ、使い勝手がよくなる。
【００４９】
また、シート状物収納容器の持ち運びも便利となり、シート状物収納容器の占める面積も減少するため、利便性が向上する。
【００５０】
さらに、底板体の鍔部を手掛かりとして、容器本体から離れる方向に底板体を引っ張り、容器本体と底板体を容易に分離達成できるため、開放状態となった収納容器内に、シート状物の補充および詰め替えを行うことができる。
【００５１】
請求項２記載の発明にあっては、形状保持性のある硬質合成樹脂製の容器本体内に、柔軟で定形性を有さない袋状容器に収納したシート状物を保持するため、取扱いの利便性と、密閉性と、外観上の美観を向上する。
【００５２】
また、軟質合成樹脂製の底板体の係止突部は、柔軟に撓み変位し、係止突部内に容器本体の周壁の下端部を密に嵌入組み付けし、また、底板体の係止突部の段部と容器本体の係止段部との係止を解除する際にも、係止突部が柔軟に撓み変位して、容器本体を底板体から分離することができる。
【００５３】
請求項３記載の発明にあっては、底板体の鍔部と、突起部を手掛かりとして、底板体に密に嵌入組み付けされている容器本体の係止段部と、底板体の係止突部の段部との係止を容易に解除し、若しくは弱化させて、容器本体を底板体から容易に分離達成し、シート状物を簡単に取り替えることができる。
【００５４】
請求項４記載の発明にあっては、係止突部の頂部が突起部に当接することにより、この突起部が係止突部を支持し、係止突部の外方へ傾斜する撓み変位がし難くなり、係止突部の段部と係止段部との係止を安定して保持する。
【００５５】
請求項５記載の発明にあっては、容器本体の周壁に押圧力が作用しても、係止段部が設けられた周壁の下端部を、係止突部と起立壁及び支持片が狭持状に支持するため、周壁の下端部が、外方若しくは内方に撓み変位することがないので、容器本体の係止段部と底板体の係止突部の段部の係止が確保される。
【００５６】
請求項６記載の発明にあっては、組合わせ使用頻度の高い二種類のウエットペーパーを一体的に収納できるので、このウエットペーパーの使用の利便性を飛躍的に高めることができる。
【図面の簡単な説明】
【図１】本発明の一実施例を示す、全体斜視図。
【図２】図１図示実施例の、やや下方から見た全体分解斜視図。
【図３】図１図示実施例の、全体縦断面図及び一部拡大図。
【符号の説明】
１    ；  シート状物収納容器
２    ；  容器本体
３    ；  蓋体
３ａ  ；  蝶番片
４    ；  底板体
５    ；  頂壁
５ａ  ；  凹嵌部
６    ；  周壁
７    ；  係止段部
８    ；  突起部
９    ；  取り出し口
１０  ；  取り出し部
１１  ；  係止部
１２  ；  平板
１３  ；  鍔部
１４  ；  係止突部
１４ａ；  段部
１５  ；  嵌入用隙間
１６  ；  起立壁
１７  ；  内周壁
１８  ；  支持片
１９  ；  シート状物
【図１】
0004045532.tif 000002
【図２】
0004045532.tif 000003
【図３】
0004045532.tif 000004